(57)【要約】      （修正有）【課題】健康、運動目的に年齢に関係なく、いつでもどこでも楽しめる小型で柔軟で軽く持ち運び自由な万能タイプの各種成分配合パイプ粒入り健康グッズを提供する。【解決手段】各種成分配合パイプ粒、球形のビーズ粒１をメッシュなど薄手の袋２に納入し口を閉じる、この粒入り袋を円筒形、円形、四角形からなる小型のカバー３の中に納める。また四角形カバーの角部４箇所に紐通し部４を設けコードストッパー付きゴム紐５などの紐類を付け通しする。これにより投げ打ち握り転がしたりして健康面と運動面において多目的に活用できる、四角形のゴム紐付きカバーでは体の各部に落下することなく装着できるのを特徴とする。【選択図】図５
0003187409.tif 000002
【実用新案登録請求の範囲】
【請求項１】
各種成分配合パイプ粒やコルマビーズ粒をメッシュなどの薄手の袋に納入し閉じる、この粒入り袋を円形．円筒形．四角形からなるカバーの中に納めた各種成分配合パイプ粒入り健康グッズ。
【請求項２】
四角形のカバーの角部４箇所に紐通し部を設け、コードストッパー付のゴム紐などを紐通し部に付けた請求項１に記載の各種成分配合パイプ粒入り健康グッズ。
【考案の詳細な説明】
【技術分野】
【０００１】この考案は運動や健康目的において場所や年齢に関係なく万能的に幅広く活用でき持ち運び自由な各種成分配合パイプ粒入り健康グッズに関するものである。
【背景技術】
【０００２】従来、各種成分配合パイプ粒やコルマビーズ粒入りの用品では寝るのが目的の枕やマットがあるが小型で軽くポケットやカバンに入れ持ち運び自由で．運動や健康目的で投げ打ち握り転がしたり．体の各部に装着できる万能型の健康グッズがなかった。
【先行技術文献】
【特許文献】
【０００３】
【特許文献１】
【非特許文献】
【０００４】
【非特許文献１】
【考案の概要】
【考案が解決しようとする課題】
【０００５】各種成分配合パイプ粒やコルマビーズ粒入りの用品は寝るための枕，マットだけである、このため屋内外に自由に持ち運べなく運動目的で投げ打ち握り転がし回したりして楽しんだり、健康目的で動いても落下しなく体の各部に装着できる健康用品としては何ら役に立たなかった。
本考案は以上のような欠点をなくすためになされたものである。
【課題を解決するための手段】
【０００６】各種成分配合パイプ粒．コルマビーズ粒（１）をメッシュなど薄手の袋（２）に納入し口を閉じる、この粒入り袋を円形．円筒形．四角形からなる小型のカバー（３）の中に納める。また四角形カバーの角部４箇所に紐通し部（４）を設けコードストッパー付きゴム紐（５）などの紐類を付け通しする。
本考案は以上の構成からなる各種成分配合パイプ粒入り健康グッズである。
【考案の効果】
【０００７】本考案は様々な形をした小型のカバーの中にトルマリン．竹炭．緑茶．キトサンなどの柔軟．軽量なる各種成分配合パイプ粒やコルマビーズ粒入りの袋が入っているので手で握ったり転がしたりしていると健康効果が期待できる、この健康グッズは小型で柔軟で軽く持ち運び自由なので．いつでもどこでも年齢に関係なく健康運動目的に幅広く活用できる。また四角形のカバーでは紐通し部にコードストッパー付きゴム紐を取り付ければ身体の各部に落下することなく装着できる。
このように健康と運動を兼ねた体やさしい万能タイプの健康グッズである。
【図面の簡単な説明】
【０００８】
【図１】  健康グッズ、円筒形の表面と内部を示した斜視図である。
【図２】  健康グッズ、円筒形の表面を示した正面図である。
【図３】  健康グッズ、円筒形の側面を示した断面図である。
【図４】  健康グッズ、円形の表面と内部を示した斜視図である。
【図５】  健康グッズ、四角形の表面と内部を示した斜視図である。
【図６】  健康グッズ、四角形にストッパー付きゴム紐を通した平面図である。
【考案を実施するための形態】
【０００９】以下、本考案を実施するための形態について説明する。
トルマリン．竹炭．キトサン．緑茶など各種成分配合パイプ粒．コルマビーズ粒（１）をメッシュなど小型で薄手の袋に納入し口を閉じる、この粒入りの袋（２）を円筒形．円形．四角形のカバー（３）の中に納める。また四角形のカバーでは角部４箇所に紐通し部（４）を設けコードストッパー付きゴム紐（５）などの紐類を付け通しする。
本考案は以上のような構造である。
これにより健康グッズとして多目的に使用でき．小型なので手にして投げ打ち握り転がしなどして健康運動目的に楽しめ柔軟で軽いので体にやさしくポケットやカバンに入れて持ち運びが自由である。また四角形のカバーでは角部４箇所に紐通し部が付いているのでゴム紐などを付け通しすれば落下することなく体の各部に装着できる。
【符号の説明】
【００１０】１    各種成分配合パイプ粒．コルマビーズ粒
２    袋
３    カバー
４    紐通し部
５    コードストッパー付きゴム紐
【図１】
0003187409.tif 000003
【図２】
0003187409.tif 000004
【図３】
0003187409.tif 000005
【図４】
0003187409.tif 000006
【図５】
0003187409.tif 000007
【図６】
0003187409.tif 000008
【手続補正書】
【提出日】平成25年8月28日(2013.8.28)
【手続補正１】
【補正対象書類名】実用新案登録請求の範囲
【補正対象項目名】全文
【補正方法】変更
【補正の内容】
【実用新案登録請求の範囲】
【請求項１】
各種成分配合のパイプ粒、球形のビーズ粒を薄手の袋に納め口を閉じる、この粒入り袋を円形や円筒形又は四角形からなるカバーの中に納めた各種成分配合のパイプ粒、球形のビーズ粒入り健康グッズ。
【請求項２】
四角形のカバー角部４箇所に紐通し部を設け、コードストッパー付きの紐を紐通し部に付けた請求項１に記載の各種成分配合のパイプ粒、球形のビーズ粒入り健康グッズ。
【手続補正２】
【補正対象書類名】明細書
【補正対象項目名】全文
【補正方法】変更
【補正の内容】
【考案の詳細な説明】
【技術分野】
【０００１】この考案は運動や健康目的において場所や年齢に関係なく多目的に活用できポケットやカバンに入れて持ち運び自由な各種成分配合のパイプ粒、球形のビーズ粒入り健康グッズに関するものである。
【背景技術】
【０００２】従来、各種成分配合のパイプ粒、球形のビーズ粒入り用品では寝るためが目的だけの健康枕があるが用途が限られており、小形で軽くポケットやカバンに入れ持ち運び自由で、運動や健康目的で投げ打ち握り転がしたり、体の部分に装着できる万能型の健康グッズがなかった。
【先行技術文献】
【特許文献】
【０００３】
【特許文献１】
【非特許文献】
【０００４】
【非特許文献１】
【考案の概要】
【考案が解決しようとする課題】
【０００５】各種成分配合のパイプ粒や球形のビーズ粒入りの用品は寝るのが目的の大きな枕があるが用途が限られていて屋外に自由に持ち運べなく、気軽に手にして楽しみ運動したり健康目的で体の部分に装着できる健康用品としては何ら役に立たなかった。
本考案は以上のような欠点をなくすためになされたものである。
【課題を解決するための手段】
【０００６】各種成分配合のパイプ粒、球形のビーズ粒（１）を薄手の袋（２）に納め口を閉じる、この粒入り袋を円形や円筒形又は四角形からなる小形のカバー（３）の中に入れ口を閉じる。また四角形カバーの角部４箇所に紐通し部（４）を設けコードストッパー付き紐（５）を付け通しする。
本考案は以上の構成からなる各種成分配合のパイプ粒、球形のビーズ粒入り健康グッズである。
【考案の効果】
【０００７】本考案は様々な形をしたカバーの中に柔軟で軽い粒状のトルマリン、炭、キトサン、茶類の各種成分配合パイプや小形で球形のビーズ粒が袋の中に納入してあるので手で握ったり転がしたり押し当てたりして多目的に活用できる、また小形で軽く柔らかなので痛くなくポケットやカバンに入れ持ち運び自由なので、いつでもどこでも使用できる。また四角形のカバーでは紐通し部にコードストッパー付きの紐を取り付ければ体の各部に落下することなく装着ができる。
このように健康と運動面に兼用できる体やさしい健康グッズである。
【図面の簡単な説明】
【０００８】
【図１】健康グッズ、円筒形の表面と内部を示した斜視図である。
【図２】健康グッズ、円筒形の表面を示した正面図である。
【図３】健康グッズ、円筒形の側面を示した断面図である。
【図４】健康グッズ、円形の表面と内部を示した斜視図である。
【図５】健康グッズ、四角形の表面と内部を示した斜視図である。
【図６】健康グッズ、四角形にコードストッパー付き紐を通した平面図である。
【考案を実施するための形態】
【０００９】以下、本考案を実施するための形態について説明する。
小形で柔らかく軽いトルマリン、炭、キトサン、茶類の各種成分配合パイプ粒、球形のビーズ粒（１）を薄手の袋に納め口を閉じる、この粒入り袋（２）を円形や円筒形又は四角形のカバー（３）の中に入れカバーの口を閉じる。また四角形のカバーでは角部４箇所に紐通し部（４）を設けコードストッパー付き紐（５）を付け通しする。
本考案は以上のような構造である。
これにより健康や運動グッズとして年齢に関係なく多目的に活用が可能で、小形で柔らかく軽いので体にやさしくポケットやカバンに入れ場所を問わず思いのまま自由に楽しめる。また四角形のカバーでは角部４箇所に紐通し部が付いているので紐を付け通しすれば健康目的で落下することなく体の各部に装着できる。
【符号の説明】
【００１０】１    各種成分配合のパイプ粒、球形のビーズ粒
２    袋
３    カバー
４    紐通し部
５    コードストッパー付き紐